(57)【要約】【課題】  本発明は、長歩きしても指間挟持部および鼻緒の紐部とに接する足の部分に損傷が無く、長歩きしても疲れることがなく、かつ、足型の違いに対しても職人、専門家による調整が不要であり、日用品ルート等をも含む幅広いルート販売が可能であり、更には外反母趾等の予防と矯正が可能な鼻緒付き靴底中敷を提供することを目的とするものである。【解決手段】  中敷１と、この中敷１の表面つま先側で、足の親指と其の隣の第２指との間にできる親指間股部の間に位置するように立設された扁平形状の指間挟持部３と、この指間挟持部の上方端部から左右に別れて伸びて足の甲側から側部にいたる間を押さえるように設けられた偏平形状の鼻緒紐部２とからなるものであって、前記鼻緒紐部２の夫々は該中敷１の左右の中間側方を通って下面後方部でお互いの端部が回動自在に結合されている。【選択図】      図１
2007229378.tif 000002
【特許請求の範囲】
【請求項１】
中敷と、この中敷の表面つま先側で、足の親指と其の隣の第２指との間にできる親指間股部の間に位置するように立設された扁平形状の指間挟持部と、この指間挟持部の上方端部から左右に別れて伸びて足の甲側から側部にいたる間を押さえるように設けられた偏平形状の鼻緒紐部とからなるものであって、
前記鼻緒紐部の夫々は該中敷の左右の中間側方を通って下面後方部でお互いの端部が回動自在に結合されていることを特徴とする鼻緒付き靴中敷。
【請求項２】
前記指間挟持部は指間の中心線に対して股部側を基点として指先に向って親指側に傾斜して立設されていて、前記鼻緒紐部が左右に別れる指間挟持部の中敷き表面からの高さは指先側が親指の厚みよりやや低い位置から股部側に向かって低くなるように傾斜していることを特徴とする請求項１記載の鼻緒付き靴中敷。
【請求項３】
前記中敷きの厚さが、前記指間挟持部近傍から先端までの間が一段厚くなっていることを特徴とする請求項１および請求項２記載の鼻緒付き靴中敷。
【発明の詳細な説明】
【技術分野】
【０００１】
本発明は、鼻緒付き靴中敷に関するものである。
【背景技術】
【０００２】
従来の鼻緒付き靴中敷は、下駄、草履等に一般に使用されている鼻緒を中敷に着けたものがあるが、この種のものは、下駄や草履を履いて歩くのと同じように、指間挟持部を親指と弟２指とで挟みながら甲側の鼻緒紐部の逃げ押さえ機能を協働させて爪先で踏ん張って蹴り上げて歩くことができるようになっているので、確かに、足のふんばりが利く良い点がある（例えば、特許文献１参照）。
しかしながら、この構造にあっては、指間挟持部と甲側を押さえる鼻緒紐の部分とが当接する足の部分、即ち、指間股部および甲側両側部とが擦れて損傷を受け易いので、長が歩きをするとそのこすれる部分が痛くなってしまい、長が歩きできないという欠点がある。また製作に当たっては、各人の足の形状が違う為に足とのフィット感を持たせる為には専門家によるオーダーメード的な調整を含む加工が必要となるので、日用雑貨品的なルートに乗っての販売が難しいので価格が高くなってしまうという欠点もある。
【０００３】
また、変形例として、指間挟持部のみを設けた構造のものもあるが、この物にあっては足の甲側を支える緒の部分がないため、その分だけ踏ん張りが利き難く、反面、足の指股の部分に踏ん張るときの力が集中してしまうので足の指股の部分の損傷が大きくなってしまうという欠点があった。また、前記のものと同様に各人の足に合せた専門家の見立ても必要になるので、販売ルートの制約もあることからも価格高になってしまうという欠点がある（例えば、特許文献２参照）。
【０００４】
【特許文献１】実用登録第３０６５６７２号公報
【特許文献２】実用登録第３０２３７２７号公報
【発明の開示】
【発明が解決しようとする課題】
【０００５】
本発明は以上のような従来の欠点に鑑み、踏ん張りが利き、長歩きしても指間挟持部および鼻緒の紐部とにこすられる足の部分に損傷が無く、長歩きしても疲れることがなく、かつ、足型の違いに対しても職人、専門家による調整が不要であり、日用品ルート等をも含む幅広いルート販売が可能であり、更には外反母趾等の予防と矯正が可能な鼻緒付き靴底中敷を提供することを目的とするものである。
【０００６】
本発明の前記並びにその他の目的と新規な特徴は次の説明を図面と照らし合わせて読むと、より完全に明らかになるであろう。ただし、図面はもっぱら解説のためのものであって、本発明の記述的範囲を限定するものではない。
【課題を解決するための手段】
【０００７】
上記目的を達成するために、第１の発明の課題解決手段は、中敷と、この中敷の表面つま先側で、足の親指と其の隣の第２指との間にできる親指間股部の間に位置するように立設された扁平形状の指間挟持部と、この指間挟持部の上方端部から左右に別れて伸びて足の甲側から側部にいたる間を押さえるように設けられた扁平形状の鼻緒紐と、からなるものであって、
前記鼻緒紐部の夫々は該中敷の左右の中間側方を通って下面後方部でお互いの端部が回動自在に結合されて鼻緒付き靴中敷を構成している。
【０００８】
第２の発明の課題解決手段は、弟１の発明における指間挟持部を指間の中心線に対して股部側を基点として指先に向って親指側に傾斜して立設されていて、前記鼻緒紐部が左右に別れる指間挟持部の中敷き表面からの高さは指先側が親指の厚みよりやや低い位置から股部側に向かって低くなるように傾斜させて鼻緒付き靴中敷を構成している。
【０００９】
第３の発明の課題解決手段は、第１、第２の発明における中敷きの厚さを、指間挟持部から先端までの間を一段厚くして鼻緒付き靴中敷を構成している。
【発明の効果】
【００１０】
以上の説明から明らかなように、本発明にあっては次に列挙する効果が得られる。
【００１１】
（１）指間挟持部が扁平形状をしていて、かつ、甲側から側部にいたる間を押さえる扁平形状の鼻緒紐部で足の甲側を押さえるようにしてあるので、親指と其の隣の第２指とで指間挟持部をしっかりと挟持して、指先で蹴り上げた時に、足の前方部分が鼻緒によって保持され、踵部は靴の後部側壁で押さえられ、両者が協働して足を靴内にソフトに押さえ込んでくれるので、靴紐で足の前側を窮屈に締め付けること無く、靴全体と足とが一体となって安定して歩くことができる。しかも、鼻緒紐部の夫々は該中敷の左右の中間側方を通って下面後方部でお互いの端部が回動自在に結合されているので、靴底と中敷きの間に挟まれた鼻緒紐部は前後、左右に動かして足の甲側の高さや、足の幅の大小等の個人差があっても誰にでも自在にフィットさせることができ、しかも、偏平な紐が途中でよじれることも無いので、足型の違いに対しても職人、専門家による調整が不要であり、日用品ルート等をも含む幅広いルート販売が可能である、という効果がある。
【００１２】
（２）また、指間挟持部は指間の中心線に対して股部側を基点として指先に向って親指側に傾斜して立設されていて、前記鼻緒紐部が左右に別れる指間挟持部の中敷き表面からの高さは指先側が親指の厚みよりやや低い位置から股部側に向かって低くなるように傾斜させたので、歩行する時の体重の移動によって生じる、つま先小指側への足のズレを指間挟持部の先端が親指を押さえることによってズレにくくするので、足のズレ量が少なくなり、ひいては、指間挟持部の股部側が指間股部をこすることや、鼻緒紐部が当接する部分をこすることもうちばであるので、指間挟持部および鼻緒の紐部とにこすられる足の部分に損傷が無く、長歩きしても疲れることがない。
【００１３】
（３）また、前記中敷きの厚さが、前記指間挟持部近傍から先端までの間が一段厚くなっているので、歩行する時の体重の移動によって生じる、つま先小指側への足のズレを食い止めるように作用するので、より一層足のズレ量が少なくなるので、鼻緒と足の当接する部分の擦れによる損傷が少なくなり、ひいては足の甲部を押さえる靴紐の締め量を更に減らすことができるので、足の本来あるべき形状を崩すことなくフィット感を保って着用することができるので、足の血行も阻害されることがないので、冷え性、偏平足、外反母趾等の予防と矯正に効果がある。                        
【発明を実施するための最良の形態】
【００１４】
以下、図面に示す発明を実施するための最良の形態により、本発明を詳細に説明する。
【００１５】
図１ないし図６に示す発明を実施するための最良の第１の実施の形態において、
１は靴の中敷で、その前方には長方形の通し穴２１が設けられている。この長方形の穴２１は後述する指間挟持部３の断面寸法よりやや小さ目にできていて、この指間挟持部を圧入するぐらいの気持ちで通す穴である。また、この穴は指間の中心線ＯＸに対し親指側に傾斜ＯＹさせてあって、この通し穴２１で押さえられた指間挟持部３が親指の先端部近傍を外側に押すような位置、傾きとしてある。
尚、中敷１の素材については特に問わず、一般市販品の何れであっても良い。即ち、夏用、冬用、厚手のもの、薄手のもの、クッション性のもの、抗菌性のもの等、何れのものであっても良い。
【００１６】
３０は鼻緒であり、この鼻緒３０は２本の扁平な厚手の紐を２本重ねて、一端部を中敷１の通し穴２１を表面側から通して裏面側で左右両側に開いて中敷１の裏面に固定される固定部４、４とし、続く位置を縫合して親指と第２指との間で挟む指間挟持部３とし、その先は左右に分かれて中敷１の側方を通って中敷１の底部で、互いの端部を重ねて連結部５で互いに回動できるように１点止めされた紐部２とから構成されたものである(尚、連結部５は中敷には固定せずにフリーな状態にしてある)。このように２本の偏平な紐を使い鼻緒３０を構成したが、これに限らず、適宜分割するなり、一体ものとして成形するなり随意な構成であってもよい。
【００１７】
また、縫合された指間挟持部３の高さ、即ち中敷きの表面から、左右に分かれる紐部２、２の分岐部６までの高さは、指間股部１０を基点として指先に向って、中敷底部からの高さが高くなるように設定されている（つま先側は親指の高さよりやや低く、指間股部１０側の高さがほぼ股部の高さである）。
また、偏平な厚手の紐の幅は、指間股の部分から親指の爪の中間に跨るくらいの幅が良く、厚さは、指間の股が無理に開かせられていないと感じる程度の厚さ（約２〜３ミリメートル）の扁平状が良い。
また、指間挟持部６は、中敷１の通し穴２１の中に有り、上方から見て指間股部１０から指先の親指の先端に向って約２〜３ミリメートル程度（親指を中敷１に押しつけた時に親指の底部が押しつぶされて外に向って膨らむ程度の量）傾斜させて取付けられている。
尚、本実施例においては、鼻緒３０を２本の扁平状の紐を使って、指間挟持部を縫合して作ったが、用いる材質によっては一体で加工しても良いし、複数に分割して接着や縫合によって作ってもよいが、布紐と同程度の可とう性を有しているものが好ましい。
【００１８】
また、２２は台座であり、この台座２２は各指の股部から爪先側を高くする為および固定部４を中敷１との間に挟んで固定する為に取付けられている。そして台座２２の後側がへの字状になっていて、このへの字は足の底部先端と足指付根の境目の凹み部分に位置するようになっていて、指先に向かってなだらかに傾斜しながら高くなっている。
【００１９】
上記の構造の鼻緒付き靴底中敷の準備作業及びその要点を以下に説明する。
１．中敷１の先端及び幅方向等の不要部分の削除：指間挟持部３は足の離着時で親指と対応する隣の指間で挟持した時に中敷１と協働して、足の踏ん張りと、安定を得るために使うものであるから、普通に歩いた時に、指間挟持部３が指間股部１０に余裕をもって触れない程度、かつ、親指の内側腹が指間挟持部３から外れない程度に中敷の先端までの長さ及び幅方向等の余分な部分を削除する。
【００２０】
２．鼻緒紐部の調整：紐部２、２は指間挟持部３を挟持した時に足の甲側が靴の中で自由に動くことを強制して、この紐部２、２と中敷１と指間挟持部３とで協働して、足の踏ん張りと、安定を得るために使うものであるから、普通に歩いた時に、多少の拘束感があるように調整して、靴の内側底部と中敷１の低部間とで挟んで固定する。そして、自分に最適と思われる位置が定まったら、必要に応じて、靴底と中敷とで挟んだループ部分を両面粘着テープ等で固定しておいても良い（しかし、ループ部を中敷に固定せずにフリーにしている理由は、個々人の足の形状やボリューム等の差異によっては緩い、窮屈等の問題点もあることから、個々人に最適な位置で自在に調整できるようにし、履く人の自重で中敷に押さえて位置決めし、固定するようにして使用することが基本である）。
【００２１】
次に、以上のように調整した本発明の鼻緒付き中敷を、靴にセットして使用する方法と作用効果等を説明する。
先ず、この鼻緒付き中敷きを使用するに当たっては、親指と第２指との間が股別れした靴下（または、素足）を着用すること、および、足の甲部から先はゆとりの有る靴を選択する事が適正な作用効果を得る為にも好ましい事である。
【００２２】
即ち、従来の靴は、靴内で足が前後に動く余裕を持たせながらも、足の甲部を靴紐等で押さえ込み、この押さえた甲部と踵部と爪先部とで足をしっかりと保持して使うものであるため、本来足の甲部のあるべき形状（足の甲部を形成する縦、横の複数の骨とその間接とがその周辺の筋肉によって中央が高いアーチ状になっている）が靴紐等で押さえられて扁平状にされるとともに、血行を阻害されているので、扁平足になったり、疲れやすくなったりしている。
また、歩く時の体重の移動から足が靴内でつま先外側（小指側）に向ってずれるのを食い止めようとして、親指に無理な力が加わったりすることから、足のつま先の部分もある程度靴内で締め付けられてフィット感を持てるようにしているので、指先の動きに自由度がなく、かつ、多少の血行障害も伴なうこと等から外反母趾になりやすい傾向に有る。
【００２３】
このような不都合な状態を解決するように提案した本案による構成によって、以下のような作用と効果が実現できた。
足の先端部と甲部とに血行を阻害を生じさせない程度のゆとりを靴と足の間に持たせても、鼻緒の指間挟持部３と、紐部２と靴の踵部とで協働して足と靴との一体感、フィット感を損なうこと無く保て、かつ、鼻緒の紐部２の後部をループ状に一点で回動自在に固定し前後左右に動かせるように中敷きには固定していないで、中敷きの底と靴の内底との間に挟み、自重で位置を決め、固定できるようにしたので、足の幅、甲の高さ等の個人差があったとしても自在に使用者自身で調整することができるようにしてある。これによって、専門家による調整も不要になるので、商品の販売ルートが広がり、ひいては、低価格で供給することが可能である。
【００２４】
また、無意識的に指間挟持部３を親指と隣の指で挟むことになり、挟んだ時に足の甲を構成する縦、横に連なる骨及びその骨を支える筋肉とが動いて、足の甲がその中心で上方に凸型に湾曲し、本来あるべき姿の縦、横アーチ状に連なる骨格の形成が知らず、知らずの内に出来上がり、かつ、指先も動くので血行も促進される。これによって足の冷え症の解消、偏平足および外反母趾の予防と矯正が可能となる。
【００２５】
また、指間挟持部３を親指側に傾斜させて立設したことによって、歩行時の小指側への靴内での足のズレに対し親指が必要以上に内側にズレ込むことを防止してくれるので、指の股部にかかる負荷が安定しているので指の股部との擦れを軽減してくれるので、股ズレによる損傷が無い。
また、紐部２、２との分岐部６の先端を親指の高さより低い位置にし、股部に向かって更に低くなるように構成したことによって、親指側の紐部２は親指の指の部分を上から押さえ込むようにして中敷１の側部を通って中敷きの下部に廻り込ませることができ、紐部２の小指側は靴の内壁との間に配置されたスペーサーの役割となって、甲部と側部の内壁との間の隙間の大きい部分を通して紐部２が足を殆ど押さえることなく靴の天面に沿って側部から下部に回り込ませることができ、かつこのように紐部２を引き回しても部分的によじれることが無い引き回しができ、結果的に足の先端部がソフトに押さえられたフィット感のある状態となるので、紐部２に接する部分に無理な負荷がかからず、擦れによる損傷が無いので長歩きしても疲れることが無い。
【００２６】
また、中敷１の先端部を１段高くするために設けた台座２２は、歩く時の体重移動によって、足が小指側にズレルことを食い止めて安定した歩行ができるようにしたもので、後部をへの字状にして足の下面の指股部の凹んだ位置から徐々に高くしてあるので、この徐々に高くした部分に足の平ら部の端部が当たってズレを防止し、かつ、足の指先で一段と高くなった部分を押さえることができるので、安定状態を確保しながら足の小指側へのズレを最小限にすることができるので、指間挟持部３および紐部２との擦れによる損傷もないので、長歩きしても疲れることが無い。
【産業上の利用可能性】
【００２７】
本発明は、靴の中敷を製造する産業、および、その流通業界で利用することができる。
【図面の簡単な説明】
【００２８】
【図１】本発明の上面斜視図。
【図２】本発明の下面斜視図。
【図３】本発明の指間挟持部の上部から見た説明図。
【図４】本発明の中敷の上部から見た説明図。
【図５】本発明の指間挟持部の側部から見た説明図。
【図６】本発明の指間挟持部の前部から見た説明図。
【符号の説明】
【００２９】
１    中敷
２１  通し穴
２２  台座
３０  鼻緒
２    （鼻緒の）紐部
３    （鼻緒の）指間挟持部
４    （鼻緒の中敷への）固定部
５    （鼻緒の後端の）連結部
６    （鼻緒の紐部と指間挟持部との）分岐部
１０    指間股部
OX    親指と隣の第２指との中心線
OY    通し穴の中心線
【図１】
2007229378.tif 000003
【図２】
2007229378.tif 000004
【図３】
2007229378.tif 000005
【図４】
2007229378.tif 000006
【図５】
2007229378.tif 000007
【図６】
2007229378.tif 000008
【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
中敷と、この中敷の表面つま先側で、足の親指と其の隣の第２指との間にできる親指間股部の間に位置するように立設された扁平形状の指間挟持部と、この指間挟持部の上方端部から左右に別れて伸びて足の甲側から側部にいたる間を押さえるように設けられた扁平形状の鼻緒紐部とからなるものであって、
鼻緒紐部が左右に別れる指間挟持部の上端部を、指先側の中敷き表面からの高さが、親指の厚みよりやや低い位置であって、そこから股部側に向かって更に低くなるように、上記上端部を傾斜して形成し、
左右に別れた夫々の鼻緒紐部が、上記中敷の左右の中間側方を通って下面後方部でお互いの端部を回動自在に結合すると共に、
左右に別れた鼻緒紐部は、中敷に固定されず、紐部端部を中敷の下面で左右前後に動かせるようにしていることを特徴とする鼻緒付き靴中敷。
【請求項２】
前記中敷きの厚さが、前記指間挟持部近傍から先端までの間が一段厚くなっていることを特徴とする請求項１記載の鼻緒付き靴中敷。
【手続補正２】
【補正対象書類名】明細書
【補正対象項目名】０００７
【補正方法】変更
【補正の内容】
【０００７】
本発明は、上記の課題を解決するため、鼻緒付き靴中敷きに次の手段を採用する。
第１に、中敷と、この中敷の表面つま先側で、足の親指と其の隣の第２指との間にできる親指間股部の間に位置するように立設された扁平形状の指間挟持部と、この指間挟持部の上方端部から左右に別れて伸びて足の甲側から側部にいたる間を押さえるように設けられた扁平形状の鼻緒紐部とからなる。
第２に、鼻緒紐部が左右に別れる指間挟持部の上端部を、指先側の中敷き表面からの高さが、親指の厚みよりやや低い位置であって、そこから股部側に向かって更に低くなるように、上記上端部を傾斜して形成する。
第３に、左右に別れた夫々の鼻緒紐部が、上記中敷の左右の中間側方を通って下面後方部でお互いの端部を回動自在に結合する。
第４に、左右に別れた鼻緒紐部は、中敷に固定されず、紐部端部を中敷の下面で左右前後に動かせるようにされる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
第２の発明の課題解決手段は、第１の発明における中敷きの厚さを、指間挟持部から先端までの間を一段厚くして鼻緒付き靴中敷を構成している。
【手続補正５】
【補正対象書類名】明細書
【補正対象項目名】００１２
【補正方法】変更
【補正の内容】
【００１２】
（２）また、紐部との分岐点の先端を親指の高さより低い位置にし、股部に向かって更に低くなるように構成したことによって、親指側の紐部は親指の指の部分を上から押さえ込むようにして中敷の側部を通って中敷きの下部に廻り込ませることができ、紐部の小指側は靴の内壁との間に配置されたスペーサーの役割となって、甲部と側部の内壁との間の隙間の大きい部分を通して紐部が足を殆ど押さえることなく靴の天面に沿って側部から下部に回り込ませることができ、かつこのように紐部を引き回しても部分的によじれることが無い引き回しができ、結果的に足の先端部がソフトに押さえられたフィット感のある状態となるので、紐部に接する部分に無理な負荷がかからず、擦れによる損傷が無いので長歩きしても疲れることが無い。